(57)【要約】【課題】液面レベルの調整を、簡単かつ迅速に行うことができる液面レベル検出器及び吸収式冷凍機を提供すること。【解決手段】内部空間が負圧に設定された高温再生器の中間吸収液溜り５Ｃに取り付けられて当該高温再生器内の吸収液の液面レベルを検出する液面センサ５２を備え、少なくとも一の電極６０を上下方向に移動可能に支持する調整支持部７０と、この調整支持部７０と電極６０の操作部８０との間に介在されるシール材８２とを備えた。【選択図】図３
2012208017.tif 000002
【特許請求の範囲】
【請求項１】
長さの異なる複数の電極棒を有し、内部空間が負圧に設定された貯留槽に取り付けられて当該貯留槽の液面レベルを検出する液面レベル検出器において、
少なくとも一の電極棒を上下方向に移動可能に支持する支持手段と、この支持手段と前記電極棒との間に介在されるシール手段と、を備えることを特徴とする液面レベル検出器。
【請求項２】
前記支持手段は、最も長さの短い高液面レベル検出用の電極棒に設けられていることを特徴とする請求項１に記載の液面レベル検出器。
【請求項３】
前記支持手段は、円筒状に形成されて当該支持手段の内周面に雌ねじを形成し、前記電極棒は上端に操作部を備え、この操作部の外周面に前記雌ねじに螺合する雄ねじを形成し、当該操作部を回転して前記電極棒を上下に移動させることを特徴とする請求項１または２に記載の液面レベル検出器。
【請求項４】
高温再生器、低温再生器、蒸発器、凝縮器及び吸収器を備え、これらを配管接続して吸収液及び冷媒の循環経路をそれぞれ形成するとともに、長さの異なる複数の電極棒を有し、内部空間が負圧に設定された前記高温再生器に取り付けられて当該高温再生器内の吸収液の液面レベルを検出する液面レベル検出器を備えた吸収式冷凍機において、
少なくとも一の電極棒を上下方向に移動可能に支持する支持手段と、この支持手段と前記電極棒との間に介在されるシール手段と、を備えることを特徴とする吸収式冷凍機。
【請求項５】
前記支持手段は、最も長さの短い高液面レベル検出用の電極棒に設けられていることを特徴とする請求項４に記載の吸収式冷凍機。
【請求項６】
前記支持手段は、円筒状に形成されて当該支持手段の内周面に雌ねじを形成し、前記電極棒は上端に操作部を備え、この操作部の外周面に前記雌ねじに螺合する雄ねじを形成し、当該操作部を回転して前記電極棒を上下に移動させることを特徴とする請求項４または５に記載の吸収式冷凍機。
【発明の詳細な説明】
【技術分野】
【０００１】
本発明は、高温再生器のように内部が負圧に設定された貯留層内の液面レベルを検出する液面レベル検出器及び当該液面レベル検出器を備える吸収式冷凍機に関する。
【背景技術】
【０００２】
一般に、高温再生器、低温再生器、蒸発器、凝縮器及び吸収器を備える吸収式冷凍機が知られている。この種の吸収式冷凍機では、例えば、高温再生器内の吸収液の液面レベルが上昇すると、高温再生器の吸収液の液滴が冷媒蒸気とともに低温再生器に流入することにより、成績係数（ＣＯＰ：Coefficient of Performance）が低下するため、高温再生器の液面レベルの管理が重要となっている。
このため、従来、長さの異なる複数の電極棒を有し、高温再生器内の吸収液の液面レベルを検知する液面センサ（液面レベル検出器）と、高温再生器から低温再生器に至る吸収液管に設けられた溶液制御弁と、液面センサの検知レベルに基づいて、溶液制御弁の開度を調整する弁開度調整手段とを備え、この弁開度調整手段が、液面センサの検知レベルに基づいて溶液制御弁の開度を調整することにより、簡単な構成で高温再生器から低温再生器へ流れる吸収液の流量が調整し、高温再生器内の吸収液の液面レベルを安定させる技術が提案されている（例えば、特許文献１）。
【先行技術文献】
【特許文献】
【０００３】
【特許文献１】特開２０１０−２７０９６９号公報
【発明の概要】
【発明が解決しようとする課題】
【０００４】
ところで、液面センサの各電極の長さは、吸収式冷凍機の能力等に基づいて予め設定されている。しかしながら、実際に吸収式冷凍機の運転を開始すると、例えば、高温再生器内の吸収液が泡立つことにより、実際の液面レベルよりも高く検出してしまうことがあり、能力を十分に発揮できないこともあった。
この場合、従来の構成では、液面センサを取り外し、電極の切断による長さ調整が必要となるが、高温再生器を含めて吸収液の循環経路内は負圧（真空）に保持されているため、液面センサを取り外すには真空破壊を要し、液面レベルの調整に多大な労力及び時間がかかるといった問題があった。
そこで、本発明は、上述した事情に鑑みてなされたものであり、液面レベルの調整を、簡単かつ迅速に行うことができる液面レベル検出器及び吸収式冷凍機を提供することを目的とする。
【課題を解決するための手段】
【０００５】
上記目的を達成するために、本発明は、長さの異なる複数の電極棒を有し、内部空間が負圧に設定された貯留槽に取り付けられて当該貯留槽の液面レベルを検出する液面レベル検出器において、少なくとも一の電極棒を上下方向に移動可能に支持する支持手段と、この支持手段と前記電極棒との間に介在されるシール手段と、を備えることを特徴とする。
【０００６】
この構成によれば、貯留槽内の負圧を保持したまま電極棒を上下方向に移動して当該電極棒の下端位置を調整することができるため、液面レベルの調整を簡単かつ迅速に行うことができる。
【０００７】
この構成において、前記支持手段は、最も長さの短い液面高レベル検出用の電極棒に設けられていても良い。また、前記支持手段は、円筒状に形成されて当該支持手段の内周面に雌ねじを形成し、前記電極棒は上端に操作部を備え、この操作部の外周面に前記雌ねじに螺合する雄ねじを形成し、当該操作部を回転して前記電極棒を上下に移動させる構成としても良い。
【０００８】
また、本発明は、高温再生器、低温再生器、蒸発器、凝縮器及び吸収器を備え、これらを配管接続して吸収液及び冷媒の循環経路をそれぞれ形成するとともに、長さの異なる複数の電極棒を有し、内部空間が負圧に設定された前記高温再生器に取り付けられて当該高温再生器内の吸収液の液面レベルを検出する液面レベル検出器を備えた吸収式冷凍機において、少なくとも一の電極棒を上下方向に移動可能に支持する支持手段と、この支持手段と前記電極棒との間に介在されるシール手段と、を備えることを特徴とする。
【０００９】
この構成において、前記支持手段は、最も長さの短い液面高レベル検出用の電極棒に設けられていても良い。また、前記支持手段は、円筒状に形成されて当該支持手段の内周面に雌ねじを形成し、前記電極棒は上端に操作部を備え、この操作部の外周面に前記雌ねじに螺合する雄ねじを形成し、当該操作部を回転して前記電極棒を上下に移動させる構成としても良い。
【発明の効果】
【００１０】
本発明によれば、貯留槽内の負圧を保持したまま電極棒を上下方向に移動して当該電極棒の下端位置を調整することができるため、液面レベルの調整を簡単かつ迅速に行うことができる。
【図面の簡単な説明】
【００１１】
【図１】本実施形態にかかる吸収式冷凍機の概略構成図である。
【図２】液面センサを示す概略構成図である。
【図３】電極が降下した状態の調整支持部の内部構成を示す側断面図である。
【図４】電極が上昇した状態の調整支持部の内部構成を示す側断面図である。
【発明を実施するための形態】
【００１２】
以下、図面を参照して本発明の一実施形態を説明する。
図１は、本実施形態にかかる吸収式冷凍機１００の概略構成図である。吸収式冷凍機１００は、冷媒に水を、吸収液に臭化リチウム（ＬｉＢｒ）水溶液を使用した二重効用型の吸収式冷凍機である。
吸収式冷凍機１００は、図１に示すように、蒸発器１と、この蒸発器１に並設された吸収器２と、これら蒸発器１及び吸収器２を収納した蒸発器吸収器胴（下胴）３と、ガスバーナ４を備えた高温再生器（貯留槽）５と、低温再生器６と、この低温再生器６に並設された凝縮器７と、これら低温再生器６及び凝縮器７を収納した低温再生器凝縮器胴（上胴）８と、低温熱交換器１２と、高温熱交換器１３と、冷媒ドレン熱交換器１６と、稀吸収液ポンプＰ１と、濃吸収液ポンプＰ２と、冷媒ポンプＰ３とを備え、これらの各機器が吸収液管２１〜２５及び冷媒管３１〜３５などを介して配管接続されている。
また、符号１４は、蒸発器１内で冷媒と熱交換した熱媒又はブライン（以下、ブライン等という）を、図示しない熱負荷（例えば空気調和装置）に循環供給するための冷／温水管であり、この冷／温水管１４の一部に形成された伝熱管１４Ａが蒸発器１内に配置されている。符号１５は、吸収器２及び凝縮器７に順次冷却水を流通させるための冷却水管であり、この冷却水管１５の一部に形成された各伝熱管１５Ａ、１５Ｂがそれぞれ吸収器２及び凝縮器７内に配置されている。符号５０は、吸収式冷凍機１００全体の制御を司る制御装置である。
【００１３】
吸収器２は、蒸発器１で蒸発した冷媒蒸気を吸収液に吸収させ、蒸発器吸収器胴（下胴）３内の圧力を高真空状態に保つ機能を有する。この吸収器２の下部には、冷媒蒸気を吸収して稀釈された稀吸収液が溜る稀吸収液溜り２Ａが形成され、この稀吸収液溜り２Ａには、インバータ５１により周波数可変に制御される稀吸収液ポンプＰ１が設けられた稀吸収液管２１の一端が接続されている。この稀吸収液管２１は、稀吸収液ポンプＰ１の下流側で第１稀吸収液管２１Ａと第２稀吸収液管２１Ｂとに分岐され、第１稀吸収液管２１Ａは冷媒ドレン熱交換器１６を経由し、第２稀吸収液管２１Ｂは低温熱交換器１２を経由した後に再び合流する。稀吸収液管２１の他端は、高温熱交換器１３を経由した後、高温再生器５内に形成された熱交換部５Ａの上方に位置する気層部５Ｂに開口している。
【００１４】
高温再生器５は、ガスバーナ４の火炎を熱源として熱交換部５Ａに溜った吸収液を加熱再生するものであり、熱交換部５Ａの側方には、この熱交換部５Ａで加熱再生された中間吸収液が溜る中間吸収液溜り５Ｃが形成されている。この中間吸収液溜り５Ｃには、中間吸収液溜り５Ｃ（高温再生器５内）に溜った吸収液の液面レベルを検知する液面センサ（液面レベル検出器）５２が設けられている。この液面センサ５２は、長さの異なる３本の電極（電極棒）６０，６１，６２を備え、最も長さの長い電極６２が共通電極であり、吸収液の液面が上昇して、最も長さの短い液面高レベル検出用の電極６０に達したとき、これら電極６０と電極６２とが導通状態となって、制御装置５０が液面高レベルを検出する。
また、吸収液の液面が液面低レベル検出用の電極６１よりも低下して電極６１と電極６２とが非導通状態となれば、制御装置５０は液面低レベルを検出する。このため、吸収液の液面レベルが電極６２以上であって電極６０以下の範囲が吸収液量の正規の状態であり、この状態にあるか否かが制御装置５０によって監視されている。
【００１５】
中間吸収液溜り５Ｃの下端には、中間吸収液管２２の一端が接続され、この中間吸収液管２２の他端は、高温熱交換器１３を介して、低温再生器６内の上部に形成された気層部６Ａに開口している。高温熱交換器１３は、中間吸収液溜り５Ｃから流出した高温の吸収液の温熱で稀吸収液管２１を流れる吸収液を加熱するものであり、高温再生器５におけるガスバーナ４の燃料消費量の低減を図っている。
また、中間吸収液管２２の高温熱交換器１３上流側と吸収器２とは開閉弁Ｖ１が介在する吸収液管２３により接続されている。
【００１６】
低温再生器６は、高温再生器５で分離された冷媒蒸気を熱源として、気層部６Ａの下方に形成された吸収液溜り６Ｂに溜った吸収液を加熱再生するものであり、吸収液溜り６Ｂには、高温再生器５の上端部から凝縮器７の底部への延びる冷媒管３１の一部に形成される伝熱管３１Ａが配置されている。この冷媒管３１に冷媒蒸気を流通させることにより、上記伝熱管３１Ａを介して、冷媒蒸気の温熱が吸収液溜り６Ｂに溜った吸収液に伝達され、この吸収液が更に濃縮される。
低温再生器６の吸収液溜り６Ｂの下端には、濃吸収液管２４の一端が接続され、この濃吸収液管２４の他端は、濃吸収液ポンプＰ２及び低温熱交換器１２を介して、吸収器２の気層部２Ｂ上部に設けられる濃液散布器２Ｃに接続されている。低温熱交換器１２は、低温再生器６の吸収液溜り６Ｂから流出した濃吸収液の温熱で第２稀吸収液管２１Ｂを流れる稀吸収液を加熱するものである。また、濃吸収液ポンプＰ２の上流側には、この濃吸収液ポンプＰ２及び低温熱交換器１２をバイパスするバイパス管２５が設けられており、濃吸収液ポンプＰ２の運転が停止している場合には、低温再生器６の吸収液溜り６Ｂから流出した吸収液は、バイパス管２５通じて低温熱交換器１２を経由することなく吸収器２内に供給される。
【００１７】
上述のように、高温再生器５の気層部５Ｂと凝縮器７の底部とは、低温再生器６の吸収液溜り６Ｂに配管された伝熱管３１Ａ及び冷媒ドレン熱交換器１６を経由する冷媒管３１により接続され、この冷媒管３１の伝熱管３１Ａ上流側と吸収器２の気層部２Ｂとは開閉弁Ｖ２が介在する冷媒管３２により接続されている。また、凝縮器７の底部と蒸発器１の気層部１ＡとはＵシール手段３３Ａが介在する冷媒管３３により接続されている。また、蒸発器１の下方には、液化した冷媒が溜る冷媒液溜り１Ｂが形成され、この冷媒液溜り１Ｂと蒸発器１の気層部１Ａ上部に配置される散布器１Ｃとは冷媒ポンプＰ３が介在するに冷媒管３４により接続されている。この冷媒管３４の冷媒ポンプＰ３下流側と吸収器２の吸収液溜り２Ａとは開閉弁Ｖ３が介在する冷媒管３５により接続されている。また、冷却水管１５の伝熱管１５Ｂ出口側との冷／温水管１４の伝熱管１４Ａの出口側とは、開閉弁Ｖ４が介在する冷／温水管３６により接続されている。
【００１８】
吸収式冷凍機１００は、制御装置５０の制御により、冷／温水管１４から冷水を取り出す冷房運転と、この冷／温水管１４から温水を取り出す暖房運転とに切り替え運転される。
冷房運転時には、冷／温水管１４を介して図示しない熱負荷に循環供給されるブライン等（例えば冷水）の蒸発器１出口側温度が所定の設定温度、例えば７℃になるように吸収式冷凍機１００に投入される熱量が制御装置５０により制御される。具体的には、制御装置５０は、すべての開閉弁Ｖ１〜Ｖ４を閉じ、すべてのポンプＰ１〜Ｐ３を起動し、且つ、ガスバーナ４においてガスを燃焼させ、温度センサＳ１が計測するブライン等の温度が所定の７℃となるようにガスバーナ４の火力を制御する。
【００１９】
吸収器２から稀吸収液管２１を介して、稀吸収液ポンプＰ１により高温再生器５に搬送された稀吸収液は、この高温再生器５でガスバーナ４による火炎および高温の燃焼ガスにより加熱されるため、この稀吸収液中の冷媒が蒸発分離する。高温再生器５で冷媒を蒸発分離して濃度が上昇した中間吸収液は、高温熱交換器１３を経由して低温再生器６へ送られる。この低温再生器６において、中間吸収液は、高温再生器５から冷媒管３１を介して供給されて伝熱管３１Ａに流入する高温の冷媒蒸気により加熱され、さらに冷媒が分離して濃度が一段と高くなり、この濃吸収液が濃吸収液ポンプＰ２及び低温熱交換器１２を経由して吸収器２へ送られ、濃液散布器２Ｃの上方から散布される。
【００２０】
一方、低温再生器６で分離生成した冷媒は凝縮器７に入って凝縮する。そして、凝縮器７で生成された冷媒液は冷媒管３３を経由して蒸発器１に入り、冷媒ポンプＰ３の運転により揚液されて散布器１Ｃから冷／温水管１４の伝熱管１４Ａの上に散布される。
伝熱管１４Ａの上に散布された冷媒液は、伝熱管１４Ａの内部を通るブライン等から気化熱を奪って蒸発するので、伝熱管１４Ａの内部を通るブライン等は冷却され、こうして温度を下げたブライン等が冷／温水管１４から熱負荷に供給されて冷房等の冷却運転が行われる。
そして、蒸発器１で蒸発した冷媒は吸収器２へ入り、低温再生器６より供給されて上方から散布される濃吸収液に吸収されて、吸収器２の稀吸収液溜り２Ａに溜り、稀吸収液ポンプＰ１によって高温再生器５に搬送される循環を繰り返す。なお、吸収液が冷媒を吸収する際に発生する熱は、吸収器２内に配置される冷却水管１５の伝熱管１５Ａにより冷却される。
【００２１】
暖房運転時には、冷／温水管１４を介して熱負荷に循環供給されるブライン等（例えば温水）の蒸発器１出口側温度が所定の設定温度、例えば５５℃になるように吸収式冷凍機１００に投入される熱量が制御装置５０により制御される。具体的には、制御装置５０は、開閉弁Ｖ１、Ｖ２を開き、ポンプＰ１を起動し、且つ、ガスバーナ４においてガスを燃焼させ、温度センサＳ１が計測するブライン等の温度が所定の５５℃となるようにガスバーナ４の火力を制御する。また、冷却水管１５への冷却水の流通が止められる。
この場合、高温再生器５で稀吸収液から蒸発した冷媒は、冷媒管３１の途中から主に流路抵抗の小さい冷媒管３２を通って吸収器２、蒸発器１に入り、冷／温水管１４から供給される水と伝熱管１４Ａを介して熱交換して凝縮し、このときの凝縮熱によって伝熱管１７Ａの内部を流れる水が加熱される。こうして温度を上げたブライン等が冷／温水管１４から熱負荷に供給されて暖房運転が行われる。
【００２２】
蒸発器１で加熱作用を行って凝縮した冷媒は、蒸発器１の底部の冷媒液溜り１Ｂからオーバーフローして吸収器２に入り、この吸収器２内で、吸収液管２３及び開閉弁Ｖ１を通って高温再生器５から流入する吸収液と混合され、稀吸収液ポンプＰ１の運転によって、稀吸収液管２１から冷媒ドレン熱交換器１６、低温熱交換器１２及び高温熱交換器１３を経由して高温再生器５へ送られる。
【００２３】
ところで、液面センサ５２の各電極６０〜６２の長さは、吸収式冷凍機１００の能力等に基づいて予め設定されている。しかしながら、実際に吸収式冷凍機１００の運転を開始すると、例えば、高温再生器５の中間吸収液溜り５Ｃ内で吸収液が泡立つことにより、液面センサ５２が実際の液面レベルよりも高く検出してしまことがある。このため、吸収器２から高温再生器５へと吸収液を送る稀吸収液ポンプＰ１の運転周波数が低下し、必要な吸収液流量を確保できなくなり、吸収式冷凍機１００の能力を十分に発揮できないことがある。吸収式冷凍機１００では、吸収液が循環する経路内は負圧（真空）に保持されているため、液面センサ５２を中間吸収液溜り５Ｃから取り外して電極（特に高液面レベル検出用の電極６０）の長さを調整するには、真空破壊を要し、液面レベルの調整に多大な労力及び時間がかかるといった問題があった。
このため、本実施形態では、液面センサ５２の高液面レベル検出用の電極６０の長さ（下端位置）の調整を中間吸収液溜り５Ｃの外側から簡単にできる構成を有する。
【００２４】
次に、液面センサ５２の具体的構成について説明する。
液面センサ５２は、図２に示すように、高温再生器５の中間吸収液溜り５Ｃの上面部５５に横並びに配置される３本の電極６０〜６２を備える。これら電極６０〜６２のうち、低液面レベル検出用の電極６１と共通電極６２は、中間吸収液溜り５Ｃの上面部５５に設けられた絶縁性を有する支持具６３にそれぞれ固定されて支持されており、当該電極の長さ調整はできないようになっている。また、電極６１の周囲には、当該電極６１の下端部６１Ａを延出させるように覆う細管状のカバー６４が配置されている。このカバー６４は、中間吸収液溜り５Ｃ内に発生した泡による誤検出を抑制するためのものである。
【００２５】
また、液面センサ５２は、高液面レベル検出用の電極６０を上下方向に移動可能に支持する調整支持部（支持手段）７０を備える。この調整支持部７０は絶縁性を有し、中間吸収液溜り５Ｃの上面部５５に固定される基部７１と、この基部７１の上部に連なる本体部７２とを備えて構成される。基部７１は、上記した支持具６３と同形状に形成されているが、電極６０を固定して支持するものではなく、この電極６０が遊嵌される貫通孔（不図示）が形成される。また、電極６０の周囲には、当該電極６０の下端部６０Ａを延出させるように覆う細管状のカバー６４が配置されている。
本体部７２の上面には、電極６０に連結された操作部（後述する）の上端８０Ａが突出し、この上端８０Ａの操作に連動して電極６０の下端部６０Ａが実線の位置から二点鎖線の位置まで高さｈだけ変位する。これにより、電極６０の下端位置を調整することができ、液面レベルの調整が可能となる。なお、本体部７２の上方外周部には雄ねじ７２Ａが形成され、上記した操作部の上端８０Ａを覆うカバーキャップ７３が配置される。
【００２６】
図３は、電極６０が降下した状態の調整支持部７０の内部構成を示す側断面図であり、図４は、電極６０が上昇した状態の調整支持部７０の内部構成を示す側断面図である。
電極６０は、図３に示すように、調整支持部７０内を貫通して配置され、この電極６０の上端部６０Ｂは、操作部８０に挿し込まれている。この操作部８０は、電極６０よりも拡径した略円柱状に形成された部材であり、上端８０Ａは、調整支持部７０の本体部７２の上面から突出して、当該操作部８０を操作する操作子として機能する。
また、操作部８０の上部側の外周面には雄ねじ８１が形成されるとともに、この雄ねじ８１の下方の外周面には、互いに独立した２本のシール溝８０Ｂ，８０Ｂが形成され、このシール溝８０Ｂにシール材（シール手段）８２が配置されている。
【００２７】
一方、本体部７２は、基部７１に連なって形成され操作部８０と当接する当接部８５と、この当接部８５から上方に延びて当該操作部８０を案内する円筒状の案内部８６と、この案内部８６の上面に配置される蓋部８７とを備え、この蓋部８７の中央には、上記操作部８０の上端８０Ａが貫通する孔部８７Ａが形成されている。
当接部８５は、その略中央に上下に貫通して電極６０が遊嵌される貫通孔８５Ａが形成され、この貫通孔８５Ａに沿って電極６０が降下した際に、操作部８０と当接して電極６０の下端部６０Ａの下限位置を規定する。
案内部８６内には操作部８０が収容されており、当該案内部８６の内周面８６Ａは、図３及び図４に示すように、操作部８０を上下方向に案内する案内面として機能するとともに、上記したシール材８２によって、中間吸収液溜り５Ｃ内と外部空間との気密性を確保している。このため、電極６０を上下に移動させる構成としつつ、案内部８６と操作部８０との隙間から外気が中間吸収液溜り５Ｃ内に侵入することが防止される。
また、案内部８６の内周面８６Ａの上部には、操作部８０の外周面に形成された雄ねじ８１と螺合する雌ねじ８９が形成されている。このため、本実施形態では、操作部８０（の上端８０Ａ）を回転操作すると、この操作に伴い、操作部８０が案内部８６（本体部７２）に対して上下動する。これによれば、外側からの操作で簡単に電極６０を上下に移動させることができるとともに、回転操作を止めた位置で電極６０の高さ位置が保持されるため、従来のように、中間吸収液溜り５Ｃ内を真空破壊した後に液面センサの液面レベル調整を行う必要が無く、この液面レベル調整を簡単かつ迅速に行うことができる。
さらに、ねじピッチを変更することにより、例えば、ねじピッチを細かくすることにより、液面レベルを細かく調整することも可能である。
【００２８】
以上、説明したように、本実施形態によれば、高温再生器５、低温再生器６、蒸発器１、凝縮器７及び吸収器２を備え、これらを配管接続して吸収液及び冷媒の循環経路をそれぞれ形成するとともに、長さの異なる３本の電極６０〜６２を有し、内部空間が負圧に設定された高温再生器５の中間吸収液溜り５Ｃに取り付けられて当該高温再生器５内の吸収液の液面レベルを検出する液面センサ５２を備え、少なくとも一の電極６０を上下方向に移動可能に支持する調整支持部７０と、この調整支持部７０と電極６０の操作部８０との間に介在されるシール材８２とを備えるため、高温再生器５内の負圧を保持したまま電極６０を上下方向に移動して当該電極６０の下端部６０Ａの高さ位置を調整することができるため、液面レベルの調整を簡単かつ迅速に行うことができる。
【００２９】
また、本実施形態は、調整支持部７０は、最も長さの短い高液面レベル検出用の電極６０に設けられているため、高温再生器５内の吸収液が泡立つことにより、液面センサ５２が液面レベルを実際の液面レベルよりも高く検出してしまう誤検出を簡単に抑制することができ、吸収式冷凍機１００の冷却能力を十分に発揮することができる。
【００３０】
また、本実施形態によれば、調整支持部７０は、円筒状に形成された案内部８６を備え、この案内部８６の内周面８６Ａに雌ねじ８９を形成し、電極６０は上端に操作部８０を備え、この操作部８０の外周面に雌ねじ８９に螺合する雄ねじ８１を形成し、当該操作部を回転して電極６０を上下に移動させるため、外側からの操作で簡単に電極６０を上下に移動させることができるとともに、回転操作を止めた位置で電極６０の高さ位置が保持されるため、従来のように、中間吸収液溜り５Ｃ内を真空破壊した後に液面センサの液面レベル調整を行う必要が無く、この液面レベル調整を簡単かつ迅速に行うことができる。
【００３１】
上記した実施形態は本発明を適用した一態様を示すものであって、本発明は上記実施形態に限定されない。例えば、本実施形態では、螺合するねじにより電極６０を上下に移動させる構成を説明したが、例えば、電極の上部にベローズを設け、このベローズの伸縮により電極を移動させても良い。
また、本実施形態では、大きな効果を奏する理由で、最も長さの短い高液面レベル検出用の電極６０に調整支持部７０を設けた構成を説明したが、他の電極６１、６２に調整支持部を設けても良いことは勿論である。
また、本実施形態では、液面センサ５２を高温再生器５に配置した構成について説明したが、負圧に保持された内部空間内の液面レベルを検出するものであれば、他の貯留槽に配置しても良い。
また、本実施形態では、吸収式冷凍機１００は二重効用型であるが、一重効用型を始め、一重二重効用型及び三重効用型の吸収式冷凍機及び吸収式ヒートポンプ装置に本発明を適用可能なことは勿論である。
【符号の説明】
【００３２】
１  蒸発器
５  高温再生器（貯留槽）
５Ｃ  中間液溜り
６  低温再生器
７  凝縮器
５２  液面センサ（液面レベル検出器）
５５  上面部
６０  電極（高液面レベル検出用の電極棒）
６０Ａ  下端部
６１、６２  電極
７０  調整支持部（支持手段）
８０  操作部
８０Ａ  上端
８２  シール材（シール手段）
１００  吸収式冷凍機
【図１】
2012208017.tif 000003
【図２】
2012208017.tif 000004
【図３】
2012208017.tif 000005
【図４】
2012208017.tif 000006